(57)【要約】本発明は非イオン界面活性剤、四級アンモニウム界面活性剤、７のｐＨを達成するための中和剤および水を含んだ石材表面の洗浄および維持用組成物を対象とする。組成物中に任意選択で芳香剤およびその他の外観向上用添加剤を含むことができる。本発明の組成物は、望ましくない有害な外観上の作用を最小化すると同時に、石材表面を清浄にし、維持するために大幅に希薄な濃度で使用することができる。【特許請求の範囲】
【請求項１】
（ａ）約０．０１〜約０．５重量パーセントの非イオン界面活性剤、
（ｂ）約０．００３〜約０．５重量パーセントの四級アンモニウム界面活性剤、
（ｃ）約９０〜約９９．９７重量パーセントの水、および
（ｄ）組成物のｐＨを約７にするのに十分な量の中和剤を含み、
石材表面に適用した場合、それを曇らせず、条痕をつけず、腐食せず、ゆがめず、または損傷を与えない石材表面の洗浄用組成物。
【請求項２】
中和剤が０．０００１〜約０．０００５重量パーセントの量で存在する、請求項１２に記載の組成物。
【請求項３】
非イオン界面活性剤がアルカノールアミド類、アミンオキシド類、ブロック重合体、エトキシ化アルコール類、エトキシ化アルキルフェノール類、エトキシ化脂肪酸類、エトキシ化脂肪酸エステルおよびオイル類、ソルビタン誘導体、ショ糖エステル類および誘導体、グルコースエステル類および誘導体、ならびにこれらの混合物からなる群から選択される、請求項１２に記載の組成物。
【請求項４】
中和剤が水酸化ナトリウム、炭酸水素ナトリウム、炭酸ナトリウム、水酸化カリウム、炭酸水素カリウム、炭酸カリウム、水酸化マグネシウム、炭酸マグネシウム、水酸化カルシウムおよび炭酸カルシウムからなる群から選択される、請求項１２に記載の組成物。
【請求項５】
石材の表面が大理石の表面である、請求項１に記載の組成物。
【請求項６】
非イオン界面活性剤がエトキシ化アルコールである、請求項１に記載の組成物。
【請求項７】
本質的に、
（ａ）約０．０１〜約０．５重量パーセントの非イオン界面活性剤、
（ｂ）約０．００３〜約０．５重量パーセントの四級アンモニウム界面活性剤、
（ｃ）約９０〜約９９．９７重量パーセントの水、および
（ｄ）組成物のｐＨを約７にするのに十分な量の中和剤、
（ｅ）所望により芳香剤、および
（ｆ）所望によりその他の外観向上用添加剤からなり、
石材表面に適用した場合、それを曇らせず、条痕をつけず、腐食せず、ゆがめず、または損傷を与えない石材表面の洗浄用組成物。
【請求項８】
中和剤が０．０００１〜約０．０００５重量パーセントの量で存在する、請求項１８に記載の組成物。
【請求項９】
非イオン界面活性剤がアルカノールアミド類、アミンオキシド類、ブロック重合体、エトキシ化アルコール類、エトキシ化アルキルフェノール類、エトキシ化脂肪酸類、エトキシ化脂肪酸エステルおよびオイル類、ソルビタン誘導体、ショ糖エステル類および誘導体、グルコースエステル類および誘導体、ならびにこれらの混合物からなる群から選択される、請求項１８に記載の組成物。
【請求項１０】
四級アンモニウム界面活性剤が塩化四級アンモニウムである、請求項１８に記載の組成物。
【請求項１１】
中和剤が水酸化ナトリウム、炭酸水素ナトリウム、炭酸ナトリウム、水酸化カリウム、炭酸水素カリウム、炭酸カリウム、水酸化マグネシウム、炭酸マグネシウム、水酸化カルシウムおよび炭酸カルシウムからなる群から選択される、請求項１８に記載の組成物。
【請求項１２】
石材の表面が大理石の表面である、請求項１８に記載の組成物。
【請求項１３】
組成物が約０．０００１〜約０．０１重量パーセントの量の芳香剤を含んでいる、請求項１８に記載の組成物。
【請求項１４】
（ａ）約０．０１〜約０．５重量パーセントの非イオン界面活性剤、
（ｂ）約０．００３〜約０．５重量パーセントの四級アンモニウム界面活性剤、
（ｃ）約９０〜約９９．９７重量パーセントの水、および
（ｄ）組成物のｐＨを約７にするのに十分な量の中和剤、
（ｅ）所望により芳香剤、および
（ｆ）所望によりその他の外観向上用添加剤からなり、
石材表面に適用した場合、それを曇らせず、条痕をつけず、腐食せず、ゆがめず、または損傷を与えない石材表面の洗浄用組成物。
【請求項１５】
中和剤が０．０００１〜約０．０００５重量パーセントの量で存在する、請求項２５に記載の組成物。
【請求項１６】
非イオン界面活性剤がアルカノールアミド類、アミンオキシド類、ブロック重合体、エトキシ化アルコール類、エトキシ化アルキルフェノール類、エトキシ化脂肪酸類、エトキシ化脂肪酸エステルおよびオイル類、ソルビタン誘導体、ショ糖エステル類および誘導体、グルコースエステル類および誘導体、ならびにこれらの混合物からなる群から選択される、請求項２５に記載の組成物。
【請求項１７】
四級アンモニウム界面活性剤が塩化四級アンモニウムである、請求項２５に記載の組成物。
【請求項１８】
中和剤が水酸化ナトリウム、炭酸水素ナトリウム、炭酸ナトリウム、水酸化カリウム、炭酸水素カリウム、炭酸カリウム、水酸化マグネシウム、炭酸マグネシウム、水酸化カルシウムおよび炭酸カルシウムからなる群から選択される、請求項２５に記載の組成物。
【請求項１９】
石材の表面が大理石の表面である、請求項２５に記載の組成物。
【請求項２０】
組成物が約０．０００１〜約０．０１重量パーセントの量の芳香剤を含んでいる、請求項２５に記載の組成物。
【発明の詳細な説明】
【技術分野】
【０００１】
本発明は一般に、表面、特に石材表面を洗浄および維持する組成物に関する。より詳細には、本発明は、高度の光沢仕上がりを維持しつつ、ある種の表面の定期的な洗浄を提供するこうした組成物に関する。
【背景技術】
【０００２】
大理石は比較的軟らかく、したがって高度の維持管理を必要とする引っかき傷およびその他の表面損傷を生じる天然の石材である。さらに、大理石およびその他の石材表面は、一般的な洗浄剤およびつや出し剤中に認められる成分としばしば反応性がある。これらの理由で、正常に見える表面を維持するためにはかなりの手入れをしなければならない。テラゾ、マグネサイト、石灰岩、花崗岩およびトラバーチンを含んだその他の種類の石の床張り材はまた、引っかき傷を減少させるまたは除去するために高いレベルで維持管理する必要がある。
【０００３】
石材タイプの表面、特に床を清浄にし「再結晶」させるために、シュウ酸などの有機酸が使用されてきた。こうした組成物を使用する上での欠点の１つは、長い施用時間および後続の厄介な清掃である。たとえば、代表的なシュウ酸またはシュウ酸系製品の施用では、２０〜２５平方フィート当たり約１５〜３０分間を必要とする。こうした組成物は、粉末またはスラリーとしておびただしい量の水と共にバフみがきをしながら適用される。かなりの望ましくない条痕が生じるので、組成物を乾燥させることは許されない。後続の清掃には、その製品を床の次の区画へ移動させることまたは残留物を拭き取ることが含まれる。また施用中、達成された光沢レベルを決定するために、組成物を継続的に除去しなければならない。この方法の制御の欠如ならびに労働集約的なやっかいな施用および清掃は、こうした組成物を使用するときに遭遇する重要な問題である。さらに、望ましい光沢が得られた後、こうした高度の光沢表面の日常の維持管理を維持することが難しい。一般的に使用される洗浄剤により条痕および「斑点」がしばしば問題となる。さらに、時間がたつにつれて高度の光沢仕上がりの曇りが問題になる。
【０００４】
要約すると、石材表面の維持用組成物および適用方法に関して、当技術分野にはかなりの数の欠陥が存在する。従来技術の洗浄用組成物は表面を十分に清浄にするが、一方、一般的な表面洗浄剤の使用により曇った仕上がり、条痕および斑点が生じる。さらに、多くの組成物は表面を腐食し、基材にかなりの損傷を引き起こしがちである。したがって、所望の外観を維持するためには、より労働集約的でかつ時間のかかる再結晶化および／またはつや出しの実行をしばしば反復しなければならない。
【０００５】
したがって、石材表面に線条の曇り、斑点、腐食またはその他の損傷を与えることなく所望の高度の光沢を維持すると同時に、容易に広がり表面を清浄にすることができる維持用組成物の研究が進行中である。こうした表面の高度の光沢仕上がりを維持すると同時に、十分な洗浄を提供する改善され新規の石材表面維持用組成物が明らかに必要である。特に従来技術の欠点を克服する、改善された維持用組成物が必要である。
【発明の開示】
【発明が解決しようとする課題】
【０００６】
本発明の目的は、従来技術の問題および欠点のいくつかを克服する表面維持用組成物を提供することである。本発明の他の目的は、石材表面上に効率的に使用することができる維持用組成物を提供することである。本発明の他の目的は、石材表面に対する洗浄力のレベルを維持すると同時に、高度の光沢を維持する石材表面の維持用組成物を提供することである。本発明の他の目的は、条痕およびその他の望ましくない有害な外観上の作用が減少する、石材表面に使用する日常の維持用洗浄剤を提供することである。本発明の他の目的は、表面を曇らせず、または条痕をつけず、または腐食せずまたはその他の点で損傷を与えない石材表面の日常維持用組成物を提供することである。上記の目的、およびその他の重要な目的は以下の説明で明らかになろう。
【課題を解決するための手段】
【０００７】
本発明は、非イオン界面活性剤、四級アンモニウム界面活性剤および水を含んだ洗浄用組成物を対象とする。さらに、組成物中に中和剤を含むことができる。組成物は、任意選択で芳香剤またはその他の外観向上用添加剤を含むことができる。代表的な組成物は、０．０１〜０．５０重量パーセントの非イオン界面活性剤、約０．００３重量パーセント〜約０．５０重量パーセントの四級アンモニウム界面活性剤および約９０〜９９．９７重量パーセントの水を含む。中和剤は組成物の約０．０００１〜約０．０００５重量パーセントの範囲の量で存在することができる。さらに組成物は、約０．０００１〜約０．０１重量パーセント以上の芳香剤を含むことができる。
【０００８】
本発明の組成物の非イオン界面活性剤には、アルカノールアミド類、アミンオキシド類、ブロック重合体、エトキシ化アルコール類、エトキシ化アルキルフェノール類、エトキシ化脂肪酸類、エトキシ化脂肪酸エステルおよびオイル類、ソルビタン誘導体、ショ糖エステル類、グルコースエステル類およびその誘導体が含まれ得る。あるいは、これらの非イオン界面活性剤の混合物を利用し得る。非イオン界面活性剤はエトキシ化アルコールが好ましい。
【０００９】
本発明の四級アンモニウム界面活性剤は、塩化ジ（オクチル  デシル）ジメチルアンモニウムなどの塩化四級アンモニウム類が好ましい。代表的な中和剤としては、水酸化ナトリウム、炭酸水素ナトリウム、炭酸ナトリウム、水酸化カリウム、炭酸水素カリウム、炭酸カリウム、水酸化マグネシウム、炭酸マグネシウム、水酸化カルシウム、炭酸カルシウムなどのアルカリ、アルカリ塩およびアルカリ土類金属塩、および当業者にはよく知られているその他の中和剤が含まれ得る。好ましい中和剤の１つは水酸化ナトリウムである。
【００１０】
本発明の好ましい実施形態では、約０．０２〜０．２重量パーセントの非イオン界面活性剤、約０．００５〜０．１重量パーセントの四級アンモニウム界面活性剤および約９５〜９９．９７重量パーセントの水が含まれている。本発明の組成物中の中和剤の好ましい量は、０．０００１〜約０．０００５、または約７のｐＨを得るに十分な量である。こうした組成物は、高度の光沢仕上がりまたは石材表面に損傷を与えることなく、高度の光沢仕上がりを維持するために石材表面を維持管理するのに有用であることが見出された。本発明の組成物は、高度の光沢仕上がりを損傷またはゆがめることなく、石材表面の維持剤および／または洗浄剤として日常使用することができる。
【発明を実施するための最良の形態】
【００１１】
本発明は、石材表面を処理する組成物、主に石材表面の洗浄および維持用組成物ならびにこうした石材表面を維持する方法の改良を対象とする。本発明の洗浄用組成物は、以下にさらに詳細に説明するように、少なくとも１つの非イオン界面活性剤、少なくとも１つの四級アンモニウム界面活性剤および水を含む。
【００１２】
アルカノールアミド類、アミンオキシド類、ブロック重合体、エトキシ化アルコール類、エトキシ化アルキルフェノール類、エトキシ化脂肪酸類、エトキシ化脂肪酸エステルおよびオイル類、ソルビタン誘導体、ショ糖エステル類および誘導体、グルコースエステル類およびその誘導体などの非イオン界面活性剤、ならびにこれらの混合物の他にその他の種類の非イオン界面活性剤が、本発明で特に有用であることが分かった。特に、エトキシ化アルコール類は、本発明の組成物に使用した場合好ましい結果を生み出すことが分かった。本発明の組成物は、一般に、約０．０１〜約０．５０重量パーセントの少なくとも１つの非イオン界面活性剤を含む。好ましい実施形態では、約０．０２〜０．２０重量パーセントの非イオン界面活性剤が含まれる。非常に好ましい実施形態では、約０．０３０〜約０．１２重量パーセントの非イオン界面活性剤が含まれる。
【００１３】
本発明の四級アンモニウム界面活性剤は、非イオン界面活性剤と共に働いて、本発明の組成物により提供される強化された結果をもたらす。塩化四級アンモニウムなどの四級アンモニウム界面活性剤を、本発明の組成物中に利用することができる。有用であることが立証されたこうした塩化四級アンモニウムの１つは、塩化ジ（オクチル  デシル）ジメチルアンモニウムが好ましい。本発明の組成物は、好ましくは約０．００３重量パーセント〜約０．５重量パーセントの四級アンモニウム界面活性剤を含んでいる。好ましい実施形態では、約０．００５〜０．１０重量パーセントの四級アンモニウム界面活性剤が含まれる。非常に好ましい実施形態では、約０．００８〜０．０４０重量パーセントの四級アンモニウム界面活性剤が含まれる。有用であることが立証された塩化四級アンモニウムとしては、すべてＳｔｅｐａｎ社から入手可能な、ＢＴＣ  ２１２５、ＢＴＣ  ８１８、ＢＴＣ  ８８５およびＢＴＣ  １０１０がある。さらに、有用であることが立証されたその他の四級アンモニウム界面活性剤は、ＭｃＩｎｔｙｒｅ  Ｇｒｏｕｐから入手可能なＭａｃｋｅｒｎｉｕｍ  ６２１である。
【００１４】
本発明の組成物は水も含んでいる。組成物は約９０〜約９９．９７重量パーセントの水を含んでいることが好ましい。このことにより、洗浄用組成物を大幅に希釈させて、洗浄力を低下させ、一方ある種の洗浄剤にしばしば見られる有害な作用を減少させて洗浄剤の効果の最適化を可能にする。洗浄用組成物をより希薄にすると、高度の光沢の石材表面の洗浄および得られる効果がより良好になることを見出した。
【００１５】
本発明の組成物はまた、水酸化ナトリウムの５０パーセント溶液などの中和剤を含むことが好ましい。中和剤は処方を約７のｐＨ、中性に中和するために使用する。塩化四級アンモニウムは弱酸性であり、石材表面にそうしなければ損傷を引き起こし、かすみや腐食をもたらすことになる弱酸性の処方がもたらされるために、このことが必要に思える。中和剤は、代表的には組成物の約０．０００１〜約０．０００５重量パーセントの範囲で存在する。中和剤は代表的には約７のｐＨが得られるのに十分な量が存在するべきである。
【００１６】
本発明の組成物は、必要に応じて、芳香剤などその他の添加剤を含むことができる。代表的には芳香剤は、合計組成物の約０．０００１〜約０．０１重量パーセントの量で存在する。こうした芳香剤の１つは、リンゴ芳香剤であるＩＦＦ  ２８３２−ＨＦである。その他の芳香剤は使用するのに適しており、当業者には知られている。
実施例１は、本発明の組成物を示す。
【００１７】
【表１】
2005517766.tif 000002
【００１８】
実施例１の組成物は、成分をリストした順に加え、均質になるまで攪拌し、次いで水酸化ナトリウムで中和することにより調製される。
【００１９】
実施例２の組成物は、成分をリストした順に加え、均質になるまで攪拌し、次いで水酸化ナトリウムで中和することにより調製される。
【００２０】
【表２】
2005517766.tif 000003
【００２１】
実施例３の組成物は、成分をリストした順に加え、均質になるまで攪拌し、次いで水酸化ナトリウムで中和することにより調製される。
【００２２】
【表３】
2005517766.tif 000004
【００２３】
これらの実施例は、本発明の組成物の可能な配合物のいくつかを示す。本発明の原理を具体的な実施形態に関して述べてきたが、これらの説明は一例としてなされたものにすぎず、本発明の範囲をこれに限定するものではないことを明らかに理解されたい。
【国際調査報告】
2005517766.tif 000005
2005517766.tif 000006
2005517766.tif 000007